(57)【要約】【課題】露出させるべき電子部品の周囲に間隙を生じることなくプリント基板を被覆することができ、電気的不良の発生を防止できるようにする。【解決手段】  プリント基板用絶縁保護シート１０は、ボリューム１０１に対向する位置でボリューム１０１の平面形状より小さい相似形の矩形を呈する切欠き部１と、切欠き部１の四隅に連続する４本の切込２を形成した。プリント基板１００にプリント基板用絶縁保護シート１０を装着すると、切欠き部１の周縁部１１が切込線２によってボリューム１０１の側面１０１Ａに当接するように変形した状態で、切欠き部１からボリューム１０１が露出する。【選択図】図３
2014150167.tif 000002
【特許請求の範囲】
【請求項１】
複数の電子部品が実装されたプリント基板の上面を被覆する可撓性のプリント基板用絶縁保護シートであって、
前記複数の電子部品のうち少なくとも１つの電子部品に対向する位置で、前記少なくとも１つの電子部品の平面形状より小さい面積の相似形に形成された切欠き部と、それぞれが前記切欠き部に連続する複数の切込線と、を備えたプリント基板用絶縁保護シート。
【請求項２】
前記少なくとも１つの電子部品は、矩形の平面形状を呈し、
前記切込線は、前記切欠き部の四隅に連続する請求項１記載のプリント基板用絶縁保護シート。
【請求項３】
前記切欠き部の面積、及び前記切込線の長さは、前記少なくとも１つの電子部品の端子部に与えるべき絶縁空間距離に応じて設定した請求項１又は２に記載のプリント基板用絶縁保護シート。
【発明の詳細な説明】
【技術分野】
【０００１】
この発明は、電子部品を実装したプリント基板を被覆する絶縁性の保護シートに関する。
【背景技術】
【０００２】
電子部品を実装したプリント基板は、電子部品へのアーク放電の発生を防止するとともに、絶縁距離を確保する目的で、上面を絶縁保護シートで被覆される（例えば、特許文献１参照。）。
【０００３】
スイッチやボリュームのようにプリント基板上で操作される電子部品が実装されたプリント基板に用いられる絶縁保護シートは、電子部品に対向する部分に切欠き部を備えている。プリント基板を絶縁保護シートで被覆した後にも、切欠き部から露出した電子部品を操作することができる。
【先行技術文献】
【特許文献】
【０００４】
【特許文献１】特開平０８−１１６１５３号
【発明の概要】
【発明が解決しようとする課題】
【０００５】
しかし、従来のプリント基板用絶縁保護シートでは、プリント基板に装着する際の作業性を考慮して、露出させるべき電子部品よりも大きな面積の切欠き部が形成されていた。プリント基板に対する絶縁保護シートの寸法誤差やプリント基板における電子部品の実装位置の誤差により、露出させるべき電子部品を切欠き部から露出させることができなくなることを防止するためである。このため、露出させるべき電子部品の周囲には絶縁保護シートとの間に間隙が生じる。この間隙を経由して塵埃がプリント基板上に侵入して堆積したり、スイッチやボリュームの操作時に手指から電子部品のリード部にアーク放電を生じる場合があり、短絡や電子部品の破損等の電気的不具合を発生する可能性があった。
【０００６】
この発明の目的は、露出させるべき電子部品の周囲に間隙を生じることなくプリント基板を被覆することができ、電気的不具合の発生を防止できるプリント基板用絶縁保護シートを提供することにある。
【課題を解決するための手段】
【０００７】
この発明は、複数の電子部品が実装されたプリント基板の上面を被覆する可撓性のプリント基板用絶縁保護シートであって、切欠き部と複数の切込線とを備えている。切欠き部は、複数の電子部品のうち少なくとも１つの電子部品に対向する位置で、少なくとも１つの電子部品の平面形状より小さい面積の相似形に形成される。切込線は、それぞれが切欠き部に連続する。
【０００８】
切欠き部が露出させるべき電子部品に対向するようにプリント基板用絶縁保護シートをプリント基板に装着すると、切欠き部の周縁部が切込線によって変形しつつ電子部品の側面に当接する。電子部品の周囲がプリント基板用絶縁保護シートによって隙間無く被覆される。
【０００９】
少なくとも１つの電子部品が矩形の平面形状を呈する場合には、切込線を切欠き部の四隅に連続させることが好ましい。切欠き部の周縁部を電子部品の側面に当接するように変形させ易くなる。
【００１０】
切欠き部の面積、及び切込線の長さは、少なくとも１つの電子部品の端子部に与えるべき絶縁空間距離に応じて設定することが好ましい。切欠き部の面積、及び切込線の長さによって切欠き部の周縁部の変形量を変化させることができるため、電子部品の端子部に適切な絶縁空間距離を与えることができる。
【発明の効果】
【００１１】
この発明によれば、露出させるべき電子部品の周囲に間隙を生じることなくプリント基板を被覆することができ、電気的不具合の発生を防止できる。
【図面の簡単な説明】
【００１２】
【図１】本発明の第１の実施形態に係るプリント基板用絶縁保護シートの外観図である。
【図２】同プリント基板用絶縁保護シートの使用状態を説明する外観図である。
【図３】同プリント基板用絶縁保護シートの使用状態を説明する側面図である。
【図４】本発明の第２の実施形態に係るプリント基板用絶縁保護シートの外観図である。
【発明を実施するための形態】
【００１３】
以下に、この発明の実施形態に係るプリント基板用絶縁保護シートを図面を参照しつつ説明する。
【００１４】
図１に示すように、本発明の第１の実施形態に係るプリント基板用絶縁保護シート１０は、一例として厚さ０．３５ｍｍのポリエステルシートを素材として、被覆すべきプリント基板の平面形状と略同一の外形形状に形成され、切欠き部１及び４本の切込線２を備えている。プリント基板用絶縁保護シート１０は、絶縁性及び可撓性を有することを条件に塩化ビニール又はポリプロピレン等の樹脂シートを素材とすることができる。
【００１５】
一例として、切欠き部１は矩形を呈し、４本の切込線２はそれぞれ切欠き部１の四隅に連続して、互いに平行に形成されている。切欠き部１及び４本の切込線２は、トムソン加工によって同時に形成することができる。また、プリント基板用絶縁保護シート１０の外形と同時に形成することもできる。
【００１６】
図２及び図３に示すように、プリント基板１００上で操作される矩形の平面形状を呈するボリューム１０１がプリント基板１００に実装されている場合、プリント基板１００に装着されるプリント基板用絶縁保護シート１０は、矩形の切欠き部１を備える。切欠き部１は、ボリューム１０１に対向する位置で、ボリューム１０１の平面形状より小さい相似形の矩形にされている。
【００１７】
このため、ボリューム１０１が切欠き部１から露出するようにプリント基板用絶縁保護シート１０をプリント基板１００に装着すると、切欠き部１の周縁部１１が切込線２によって変形しつつボリューム１０１の側面１０１Ａに当接する。
【００１８】
ボリューム２と切欠き部１の周縁部１１の周縁部との間には間隙を生じないため、塵埃が、プリント基板用絶縁保護シート１０とプリント基板１００の上面との間に侵入することがなく、プリント基板１００の上面やボリューム１０１のリード部１０１Ｂに堆積することがない。また、図３に示すように、ボリューム１０１のリード部１０１Ｂとプリント基板用絶縁保護シート１０との間に、十分な絶縁空間距離を与えることができ、スイッチやボリュームの操作時に手指から電子部品のリード部にアーク放電を生じることがない。
【００１９】
ボリューム１０１のリード部１０１Ｂとプリント基板用絶縁保護シート１０との間の距離は、切欠き部１の面積、及び切込線２の長さに応じて変化する。また、切欠き部１の面積、及び切込線２の長さは、プリント基板用絶縁保護シート１０の厚さに応じて、切欠き部１の周縁部１１からボリューム１０１の側面１０１Ａに作用する当接力に影響を与える。したがって、切欠き部１の面積、及び切込線２の長さは、ボリューム１０１のリード部１０１Ｂに与えるべき絶縁空間距離、及び周縁部１１からボリューム１０１の側面１０１Ａに与えるべき当接力に応じて適宜設定することができる。
【００２０】
なお、同様の効果は、熱成形によって切欠き部１の周縁部を上方に突出させて形成することでも得られる。この場合、プリント基板用絶縁保護シートの形状を安定的に維持することができる。しかし、加工費や材料費が嵩み、コストの上昇は避けられない。
【００２１】
図４に示すように、本発明の第２の実施形態に係るプリント基板用絶縁保護シート２０は、４本の切込線２１を切欠き部１の四隅のそれぞれから放射状に形成したものである。その他の構成は、プリント基板用絶縁保護シート１０と同様である。
【００２２】
プリント基板用絶縁保護シート２０によれば、ボリューム１０１の４つの側面のそれぞれに、切欠き部１の周縁部１１を確実に当接させることができる。
【００２３】
なお、上記の実施形態では、何れも本発明の少なくとも１つの電子部品として、矩形の平面形状を呈するボリューム１０１を例に挙げて説明したが、これに限るものではない。円形や多角形等の他の平面形状を呈するボリューム以外の機能を備えた電子部品を切欠き部１から露出させるべき場合でも、この発明を同様に実施できる。この場合には、切欠き部１の形状を、露出させるべき電子部品の平面形状より小さい面積の相似形とする。また、切込線２の本数は４本に限るものではなく、露出させるべき電子部品の平面形状に応じて、適宜増減させることができる。
【符号の説明】
【００２４】
１−切欠き部
２，２１−切込線
１０，２０−プリント基板用絶縁保護シート
１１−周縁部
１００―プリント基板
１０１―ボリューム
【図１】
2014150167.tif 000003
【図２】
2014150167.tif 000004
【図３】
2014150167.tif 000005
【図４】
2014150167.tif 000006